(57)【要約】【課題】貨幣処理手段の配置に関する情報を自動的に取得できる貨幣回収システムを提供する。【解決手段】搬送手段21にて紙幣Ａを搬送する。貨幣を受け付けるとともに受け付けた貨幣を搬送手段21に送出する貨幣処理手段15を搬送手段21に沿って複数箇所に配置する。貨幣処理手段15に対応して、搬送手段21にて搬送する紙幣Ａを検出する複数のセンサ30を設ける。管理手段23が、センサ30の検出情報に基づき、貨幣処理手段15の配置に関する情報を取得する。さらに、管理手段23が、貨幣処理手段15の配置に関する情報に基づいて貨幣処理手段15からの紙幣Ａの送出を制御する送出制御情報を設定する。【選択図】図１
2014026310.tif 000002
【特許請求の範囲】
【請求項１】
貨幣を搬送する搬送手段と、
前記搬送手段に沿って複数箇所に配置され、貨幣を受け付けて所定の処理を行うとともに受け付けた貨幣を前記搬送手段に送出する貨幣処理手段と、
前記貨幣処理手段に対応して設けられ、前記搬送手段にて搬送する貨幣を検出する検出手段と、
前記検出手段の検出情報に基づき、前記貨幣処理手段の配置に関する情報を取得する管理手段と
を具備していることを特徴とする貨幣回収システム。
【請求項２】
前記管理手段は、前記貨幣処理手段から送出された貨幣が前記検出手段によって検出されない場合に異常と判定する異常判定手段を備えた
ことを特徴とする請求項１記載の貨幣回収システム。
【請求項３】
前記管理手段は、前記搬送手段の搬送作動に関する作動情報を記憶する作動情報記憶手段と、
取得した作動情報を前記作動情報記憶手段に記憶された作動情報と比較する比較手段と、
前記比較手段による比較結果に基づいて、前記貨幣処理手段の配置に関する情報の再取得の必要性を判定する再取得判定手段とを備えた
ことを特徴とする請求項１または２記載の貨幣回収システム。
【請求項４】
前記管理手段は、前記貨幣処理手段に向けて貨幣の送出有無を制御するための送出制御情報を記憶する送出制御情報記憶手段と、
前記貨幣処理手段の配置に関する情報に基づいて、前記送出制御情報を更新する更新手段とを備えた
ことを特徴とする請求項１ないし３いずれか一記載の貨幣回収システム。
【請求項５】
前記送出制御情報の設定完了および設定未了を表示する表示部を具備している
ことを特徴とする請求項４記載の貨幣回収システム。
【発明の詳細な説明】
【技術分野】
【０００１】
本発明は、貨幣処理手段から貨幣を回収する貨幣回収システムに関する。
【背景技術】
【０００２】
例えば、パチンコ店などの遊技店では、遊技島にパチンコ台などの複数台の遊技台、および各遊技台の側部にパチンコ球などの遊技媒体を貸し出す遊技媒体貸出機が設置されている。また、遊技島内には紙幣を遊技島の島端などの１箇所に回収するための搬送手段が設置され、各遊技媒体貸出機には遊技客によって投入される紙幣を受け入れるとともに受け入れた紙幣を送出制御情報に基づく所定の送出タイミングで搬送手段に送出する紙幣処理手段を備える場合がある（例えば、特許文献１参照。）。
【０００３】
そして、送出制御では、紙幣処理手段の出口付近で紙幣を検出するセンサと、搬送手段による搬送方向に対して１つ上流側の紙幣処理手段の出口付近で紙幣を検出するセンサとを利用し、搬送手段で搬送する紙幣が重なり合わないように紙幣処理手段から紙幣を送出する送出タイミングを制御している。
【０００４】
この紙幣の送出制御を行うためには、遊技台および遊技媒体貸出機を含むシステムの導入設置時に、システムが有する液晶表示パネルなどのモニタにガイダンス表示を行いながら、搬送手段の搬送速度、遊技媒体貸出機間の距離などの詳細な情報を手入力して設定している。
【０００５】
また、システムのコストダウンのためにモニタを省略し、７セグ表示器を複数個並べた表示器を用いる場合があり、この場合には、モニタを用いた場合のような詳細な情報の入力設定ができないため、遊技媒体貸出機間の距離などは固定値としている。
【先行技術文献】
【特許文献】
【０００６】
【特許文献１】特開２００８−２０６７９９号公報
【発明の概要】
【発明が解決しようとする課題】
【０００７】
しかしながら、システムがモニタを有する場合には、詳細な情報を入力設定することができるが、手入力しなければならないため、設定に時間がかかり、入力間違いが発生するおそれがある。
【０００８】
また、遊技媒体貸出機間の距離などを固定値とした場合には、搬送手段で搬送する紙幣が重ならないように紙幣処理手段から紙幣を送出しようとすると、搬送手段で搬送する紙幣の間隔を、余裕をみて大きくあけるようにしなければならず、紙幣の処理効率が低下する問題がある。さらに、遊技台と隣の遊技台の遊技媒体貸出機との間に還元機や両替機などが設置される遊技島の場合には、遊技媒体貸出機間の距離が大きくずれるため、その間の距離は入力設定する必要があり、設定に時間がかかり、入力間違いを発生しやすい問題がある。
【０００９】
本発明は、このような点に鑑みなされたもので、貨幣処理手段の配置に関する情報を自動的に取得できる貨幣回収システムを提供することを目的とする。
【課題を解決するための手段】
【００１０】
請求項１記載の貨幣回収システムは、貨幣を搬送する搬送手段と、前記搬送手段に沿って複数箇所に配置され、貨幣を受け付けて所定の処理を行うとともに受け付けた貨幣を前記搬送手段に送出する貨幣処理手段と、前記貨幣処理手段に対応して設けられ、前記搬送手段にて搬送する貨幣を検出する検出手段と、前記検出手段の検出情報に基づき、前記貨幣処理手段の配置に関する情報を取得する管理手段とを具備しているものである。
【００１１】
請求項２記載の貨幣回収システムは、請求項１記載の貨幣回収システムにおいて、前記管理手段は、前記貨幣処理手段から送出された貨幣が前記検出手段によって検出されない場合に異常と判定する異常判定手段を備えたものである。
【００１２】
請求項３記載の貨幣回収システムは、請求項１または２記載の貨幣回収システムにおいて、前記管理手段は、前記搬送手段の搬送作動に関する作動情報を記憶する作動情報記憶手段と、取得した作動情報を前記作動情報記憶手段に記憶された作動情報と比較する比較手段と、前記比較手段による比較結果に基づいて、前記貨幣処理手段の配置に関する情報の再取得の必要性を判定する再取得判定手段とを備えたものである。
【００１３】
請求項４記載の貨幣回収システムは、請求項１ないし３いずれか一記載の貨幣回収システムにおいて、前記管理手段は、前記貨幣処理手段に向けて貨幣の送出有無を制御するための送出制御情報を記憶する送出制御情報記憶手段と、前記貨幣処理手段の配置に関する情報に基づいて、前記送出制御情報を更新する更新手段とを備えたものである。
【００１４】
請求項５記載の貨幣回収システムは、請求項４記載の貨幣回収システムにおいて、前記送出制御情報の設定完了および設定未了を表示する表示部を具備しているものである。
【発明の効果】
【００１５】
請求項１記載の貨幣回収システムによれば、貨幣を搬送手段で搬送させることにより、検出手段の検出情報に基づき、貨幣処理手段の設置に関する情報を自動的に取得することができ、そのため、貨幣処理手段の設置に関する情報の手入力が必要なく、入力間違いの発生を防止できる。
【００１６】
請求項２記載の貨幣回収システムによれば、請求項１記載の貨幣回収システムの効果に加えて、貨幣処理手段から送出された貨幣が検出手段によって検出されない場合に異常と判定するため、搬送手段や検出手段などの設置の不具合の有無も確認することができる。
【００１７】
請求項３記載の貨幣回収システムによれば、請求項１または２記載の貨幣回収システムの効果に加えて、取得された搬送手段の搬送作動に関する作動情報を作動情報記憶手段に記憶された作動情報とを比較し、貨幣処理手段の配置に関する情報の再取得の必要性を判定するため、貨幣処理手段の配置に関する情報を適時に更新することができ、そのため、経年変化による搬送速度の変化にも対応できる。
【００１８】
請求項４記載の貨幣回収システムによれば、請求項１ないし３いずれか一記載の貨幣回収システムの効果に加えて、貨幣処理手段の配置に関する情報に基づいて、貨幣処理手段に向けて貨幣の送出有無を制御するための送出制御情報を自動的に更新することができる。
【００１９】
請求項５記載の貨幣回収システムによれば、請求項４記載の貨幣回収システムの効果に加えて、表示部では送出制御情報の設定完了および設定未了を表示すればよいため、表示部の構成を簡略化でき、安価にできる。
【図面の簡単な説明】
【００２０】
【図１】第１の実施の形態を示す貨幣回収システムを適用する遊技島の平面図である。
【図２】同上貨幣回収システムを説明する説明図である。
【図３】同上貨幣回収システムの管理手段および各制御手段における処理手順および情報の流れを示す説明図である。
【図４】同上各制御手段および管理手段による計測結果を(a)(b)に示す表である。
【図５】同上各制御手段から管理手段に通知する貨幣処理手段の配置に関する設置情報を示す表である。
【図６】同上管理手段で求める送出制御情報を(a)(b)に示す表である。
【図７】同上管理手段から各制御手段に通知する送出制御情報を(a)(b)に示す表である。
【図８】第２の実施の形態を示す貨幣回収システムを適用する遊技島の平面図である。
【図９】同上貨幣回収システムを説明する説明図である。
【図１０】同上貨幣回収システムの管理手段および各ユニットにおける処理手順および情報の流れを示す説明図である。
【図１１】同上管理手段による計測結果を(a)(b)に示す表である。
【図１２】同上管理手段で求める送出制御情報を(a)(b)に示す表である。
【図１３】同上管理手段から各ユニットに通知する送出制御情報を示す表である。
【発明を実施するための形態】
【００２１】
以下、第１の実施の形態を、図１ないし図７を参照して説明する。
【００２２】
図１に、貨幣回収システムを適用する遊技島の平面図を示す。
【００２３】
遊技島10は、一方の島端から他方の島端に亘って長尺に形成され、その長手方向に対して交差する一側および他側の両側に、パチンコ台やパチスロ台などの複数台の遊技台11が設置されているとともに、各遊技台11の一側部にパチンコ玉やメダルなどの遊技媒体を貸し出す複数台の遊技媒体貸出機としての台間機12が並設されている。また、遊技島10の長手方向の中間位置には、遊技台11あるいは台間機12に遊技媒体を供給する遊技媒体供給源に対して、各遊技台11から回収されてくる遊技媒体を還元させるための還元機13が並設されている。
【００２４】
台間機12には、遊技客から投入された貨幣としての紙幣Ａを識別し、識別結果が正常で受け入れ可能な紙幣Ａを受け入れ、識別不能などの受け入れ不可能な紙幣Ａを遊技客に返却する紙幣処理手段である貨幣処理手段15が配置されている。貨幣処理手段15は、受け入れた紙幣Ａを背部から遊技島10内へ送出可能になっている。また、台間機12は、紙幣Ａなどの貨幣を受け付けて、当該貨幣に対応する有価価値を示す情報を所定の記憶媒体に関連付ける処理を行う。また、当該有価価値に対応する数の遊技媒体について、遊技台11で使用させるための貸出処理を行う。この貸出処理は、台間機12に設けられた投出機構により遊技媒体を投出すること、あるいは遊技台11に設けられた投出機構に、台間機12から遊技媒体の投出指示を出力することにより行う。さらに、上記の記憶媒体には、特定の遊技客である会員に対応付けられた会員用記憶媒体と、それ以外の一般用記憶媒体とがあり、台間機12は会員用記憶媒体と一般用記憶媒体を受け付ける記憶媒体挿入口を備えている。また、台間機12は会員用記憶媒体あるいは一般用記憶媒体を受け付け、記憶媒体に対応付けられた有価価値に対応する遊技媒体の投出処理を行うことができる。また、図示していないが台間機12は記憶媒体の有価価値情報を管理するための有価価値管理装置と接続されており、記憶媒体への有価価値の関連付処理、貸出処理を行う場合には、当該有価価値管理装置と通信を行ったうえでこれらの処理を行う。また、台間機12は記憶媒体を受け付けた場合にはその旨を有価価値管理装置に通知する機能を有している。
【００２５】
また、遊技島10には、各貨幣処理手段15から送出される紙幣Ａを回収する貨幣回収システム20が設置されている。貨幣回収システム20は、遊技島10内に沿って設置された搬送手段21、この搬送手段21に沿って複数箇所に配置された複数の貨幣処理手段15、遊技島10の一方の島端に設置された回収手段22および管理手段23を備えている。
【００２６】
搬送手段21は、遊技島10内の両端部に配置された一対のプーリ26、およびこれらプーリ26に巻回されて回動可能に配置された無端状の搬送ベルト27を備えている。モータの駆動によって一端側のプーリ26を回転させることにより、搬送ベルト27が紙幣Ａの搬送方向Ｆに向けて回動する。そして、搬送ベルト27の一側面から他側面に亘り、紙幣Ａを搬送する連続した１つの搬送路28が形成されている。すなわち、搬送路28は、搬送ベルト27の一側面の一端側が始端部であり、搬送ベルト27の他端側で一側面から他側面に方向転換し、搬送ベルト27の他側面の一端側が回収手段22に連結される終端部である。搬送路28には、各貨幣処理手段15の位置に対応して、各貨幣処理手段15から送出される紙幣Ａを搬送路28内に取り込む取込手段29が設置されている。取込手段29には、搬送手段21によって搬送する紙幣Ａを検出する検出手段としてのセンサ30が配置されている。
【００２７】
回収手段22は、搬送手段21で搬送路28の終端部に搬送されてくる紙幣Ａを受け入れて収容する金庫33を備えている。回収手段22には、搬送手段21で搬送されてくる紙幣Ａを検出するセンサ34が配置されている。
【００２８】
管理手段23は、貨幣回収システム20を制御するものであり、搬送手段21の搬送作動に関する作動情報を記憶する作動情報記憶手段、および貨幣処理手段15に向けて紙幣Ａの送出有無を制御するための送出制御情報を記憶する送出制御情報記憶手段を備えている。これら作動情報記憶手段および送出制御情報記憶手段は共通の記憶手段で構成されている。
【００２９】
さらに、管理手段23は、次のような機能を有している。センサ30の検出情報に基づき、貨幣処理手段15の配置に関する情報（例えば、搬送手段21の搬送速度、貨幣処理手段15間の距離などの情報が含まれる）を取得する配置情報取得手段の機能。取得した貨幣処理手段15の配置に関する情報に基づいて、送出制御情報記憶手段に記憶する送信制御情報を更新する更新手段の機能。搬送手段21の搬送作動に関する作動情報（例えば搬送速度などの情報が含まれる）を取得する作動情報取得手段の機能。取得した作動情報を作動情報記憶手段に記憶された作動情報と比較する比較手段の機能。比較手段による比較結果に基づいて、貨幣処理手段15の配置に関する情報の再取得の必要性を判定する再取得判定手段の機能。貨幣処理手段15から送出された紙幣Ａがセンサ30によって検出されない場合に異常と判定する異常判定手段の機能。なお、搬送手段21の搬送速度の取得は、モータがパルス制御するモータである場合にはモータに付与するパルス数から搬送速度を計算することにより取得し、また、モータからプーリ26への駆動系に例えばエンコーダなどの回転検出手段を備えている場合には回転検出手段の検出情報に基づいて搬送速度を計算することにより取得する。
【００３０】
さらに、管理手段23は、送出制御情報の設定完了および設定未了を表示する表示部37を備えている。表示部37は、送出制御情報の設定完了および設定未了を表示するだけなので簡易的なものでよい。
【００３１】
次に、図２は貨幣回収システム20を説明する説明図である。なお、図２は説明のために簡略化している。
【００３２】
ここでは、搬送手段21による搬送方向Ｆの下流側から順に、台間機12をユニット１、２、３、４、５、６と呼び、センサ30をセンサS1，S2，S3，S4，S5，S6と呼ぶ。さらに、センサ34をセンサS0と呼ぶ。
【００３３】
貨幣回収システム20は、ユニット１およびユニット２を制御する制御手段C1、ユニット３およびユニット４を制御する制御手段C2、ユニット５およびユニット６を制御する制御手段C3を備えている。そして、管理手段23、制御手段C1，C2，C3は、例えばＲＳ−４８５などの所定の通信方式により互いに通信可能に接続されている。
【００３４】
管理手段23は、センサS0およびセンサS1の検出情報を取得するとともに、制御手段C1，C2，C3を制御する。制御手段C1は、センサS1，S2，S3の検出情報を取得するとともに、ユニット１および２を制御する。制御手段C2は、センサS3，S4，S5の検出情報を取得するともに、ユニット３および４を制御する。制御手段C3は、センサS5，S6の検出情報を取得するとともに、ユニット５および６を制御する。
【００３５】
次に、貨幣回収システム20の導入設置時における貨幣処理手段15の配置に関する情報および搬送手段21の搬送作動に関する作動情報の自動取得および送出制御情報の自動設定の動作（搬送パラメータ自動設定動作）を説明する。なお、図３には管理手段23および各制御手段C1，C2，C3における処理手順および情報の流れを示す。
【００３６】
管理手段23により導入設定時のモードを設定し、搬送手段21の最上流に位置するユニット６に例えば３枚の紙幣Ａを順に投入し、ユニット６から順に送出される紙幣Ａを搬送手段21で回収手段22へ向けて搬送する。搬送手段21や取込手段29などの設置に不具合がなければ、搬送手段21による紙幣Ａの搬送により、センサS6，S5，S4，S3，S2，S1，S0が順に紙幣Ａを検出する。
【００３７】
制御手段C3は、センサS6，S5の検出情報を取得し、センサS6，S5間の紙幣Ａの通過時間を計測する（図３の処理(1)）。
【００３８】
制御手段C2は、センサS5，S4，S3の検出情報を取得し、センサS5，S4間およびセンサS4，S3間の紙幣Ａの通過時間を計測する（図３の処理(2)）。
【００３９】
制御手段C1は、センサS3，S2，S1の検出情報を取得し、センサS3，S2間およびセンサS2，S1間の紙幣Ａの通過時間を計測する（図３の処理(3)）。
【００４０】
管理手段23は、センサS1，S0間の検出情報を取得し、センサS1，S0間の紙幣Ａの通過時間を計測するとともに、搬送手段21の搬送作動に関する情報として搬送ベルト27の搬送速度を取得する（図３の処理(4)）。図４(a)(b)には、計測した各センサS0−S1間、S1−S2間、S2−S3間、S3−S4間、S4−S5間、S5−S6間（以下、S0〜S6間と呼ぶ）の通過時間、および搬送ベルト27の搬送速度の計測結果の例を示す。
【００４１】
そして、各制御手段C1，C2，C3は、３枚の紙幣Ａについて計測した各センサS1−S2間、S2−S3間、S3−S4間、S4−S5間、S5−S6間（以下、S1〜S6間と呼ぶ）の通過時間の平均値を求める。そして、各制御手段C1，C2，C3は、管理手段23に対して、図５の例に示すように、各センサS1〜S6間の通過時間を通知する（図３の通知(5)(6)(7)）。
【００４２】
また、管理手段23は、取得した各センサS0〜S6間の通過時間と搬送速度とに基づいて、図６(a)(b)の例に示すように、各センサS0〜S6間の距離（台間機12間の距離に相当する）を求めるとともに、各センサS0〜S6間での紙幣Ａの詰まりを判定するための監視時間を求め、さらに、各ユニット１〜６における紙幣排出禁止期間（紙幣送出禁止期間）を求め、これら情報を記憶手段に保存する（図３の処理(8)）。
【００４３】
したがって、管理手段23は、搬送手段21の搬送ベルト27の搬送速度、各センサS0〜S6間の距離などを含む情報を取得し、各センサS0〜S6間の監視時間、各ユニット１〜６における紙幣排出禁止期間などを含む送出制御情報を設定することになる。
【００４４】
監視時間は、各センサS0〜S6間での紙幣Ａの詰まりを確実に判定できるようにするため、例えば通知（計測）された各センサS0〜S6間の通過時間の３倍の時間に設定される。
【００４５】
紙幣排出禁止期間は、ユニット１〜６から送出した紙幣Ａが搬送路28で重ならないこと、および回収手段22の金庫33で紙幣Ａを連続的に収納可能とする処理能力などから決められる。例えば図６(b)に示すように、ユニット１では、搬送方向Ｆの上流側のセンサS2で紙幣Ａを検出した後の２秒後からセンサS1を紙幣Ａが通過した後の１秒までの期間である。この紙幣排出禁止期間を除いてユニット１から紙幣Ａを送出すれば、別のユニット２〜６から送出された紙幣Ａが搬送路28内を搬送されていても、搬送路28で紙幣Ａ同士が重なることがないとともに、回収手段22の金庫33に紙幣Ａを順次収納できる。
【００４６】
そして、管理手段23は、各制御手段C1，C2，C3に対して、図７(a)(b)の例に示すように、各センサS1〜S6間の監視時間、および各ユニット１〜６における紙幣排出禁止期間を含む制御情報を通知する（図３の通知(9)(10)(11)）。
【００４７】
また、各制御手段C1，C2，C3では、通知された各センサS1〜S6間の監視時間、および各ユニット１〜６における紙幣排出禁止期間に基づいて、各センサS1〜S6間での紙幣Ａの詰まり監視、および各ユニット１〜６による紙幣Ａの送出制御を行う。
【００４８】
なお、各制御手段C1，C2，C3の電源オン時に管理手段23と通信可能となると、管理手段23から各制御手段C1，C2，C3に各センサS1〜S6間の監視時間および各ユニット１〜６における紙幣排出禁止期間などを含む制御情報を通知する。通信の不具合で通知ができない場合には、各制御手段C1，C2，C3は、予め設定されているデフォルト値で、各センサS1〜S6間での紙幣Ａの詰まり監視、および各ユニット１〜６に対する紙幣Ａの送出可否指示制御を行う。各ユニット１〜６はこの指示に従って紙幣Ａの搬送路28への送出有無を決定する。
【００４９】
次に、貨幣回収システム20の導入設置時における貨幣処理手段15の配置に関する情報および搬送手段21の搬送作動に関する作動情報の自動取得動作の際の異常検出について説明する。
【００５０】
管理手段23と各制御手段C1，C2，C3との間で通信ができない場合には、管理手段23および各制御手段C1，C2，C3は通信の異常と判定する。
【００５１】
各制御手段C1，C2，C3において、各制御手段C1，C2，C3に接続されている上流側のセンサで紙幣Ａを検出してから予め決められている一定時間経過しても下流側のセンサが紙幣Ａを検出しない場合（例えば、紙幣ＡをセンサS5にて検出したもののセンサS4にて検出しない場合）には、紙幣Ａの詰まりによる搬送の異常、または下流側のセンサの配線不良などの異常が発生しており、各制御手段C1，C2，C3および各制御手段C1，C2，C3から通知を受けた管理手段23は異常と判定する。
【００５２】
各制御手段C1，C2，C3において、各制御手段C1，C2，C3に接続されている上流側のセンサで紙幣Ａを検出していないにもかかわらず、下流側のセンサが紙幣Ａを検出した場合（例えば、紙幣ＡがセンサS5を検出した後、センサS4を検出せず、センサS3を検出した場合）には、センサの配線不良などの異常が発生しており、各制御手段C1，C2，C3および各制御手段C1，C2，C3から通知を受けた管理手段23は異常と判定する。
【００５３】
各制御手段C1，C2，C3において、各制御手段C1，C2，C3に接続されているセンサで紙幣Ａを予め決められている一定時間以上検出し続けている場合には、例えば、紙幣ＡがセンサS2で停滞していたり、センサS3のコネクタが外れている配線不良が発生しており、各制御手段C1，C2，C3および各制御手段C1，C2，C3から通知を受けた管理手段23は異常と判定する。
【００５４】
そして、管理手段23は、異常を判定した場合、その旨を例えば表示部37に表示する。したがって、表示部37に表示された異常の情報から、貨幣回収システム20の導入設置時の不具合を把握し、対処することができる。
【００５５】
以上のように構成された貨幣回収システム20では、貨幣回収システム20の導入設置時に、搬送手段21の最上流に位置する貨幣処理手段15から送出した紙幣Ａを搬送手段21で搬送させることにより、搬送手段21の搬送速度、および複数の台間機12間の距離を含む貨幣処理手段15の設置に関する情報を自動的に取得することができ、そのため、貨幣処理手段15の設置に関する情報の手入力が必要なく、入力間違いの発生を防止できる。
【００５６】
特に、図１に示すように、遊技台11と隣の遊技台11の台間機12との間に還元機13などが設置されているために、台間機12間の距離が大きくずれる場合でも、貨幣処理手段15の設置に関する正確な情報を自動的に取得することができる。
【００５７】
さらに、台間機12から送出された紙幣Ａがセンサ30によって検出されない場合には異常と判定するため、搬送手段21やセンサ30などの設置の不具合の有無も確認することができる。
【００５８】
そして、自動的に取得した貨幣処理手段15の設置に関する情報および搬送手段21の搬送作動に関する作動情報に基づいて、貨幣処理手段15からの紙幣Ａの送出を制御する送出制御情報を自動的に設定することができる。
【００５９】
さらに、表示部37では少なくとも送出制御情報の設定完了および設定未了を表示すればよいため、表示部37の構成を簡略化でき、安価にできる。
【００６０】
また、貨幣回収システム20の導入設置後の運用中においては、管理手段21によって搬送手段21の搬送速度を取得し、記憶保存する。そして、搬送手段21の現在の搬送速度を取得したうえで以前の記憶されている搬送速度と比較し、搬送速度が一定値以上変化していれば制御情報の再設定が必要と判定する。再設定が必要と判定した場合、所定の表示やランプの点灯などによりその旨を識別可能に報知する。この報知を見た従業員は、設置情報の再設定作業を行う。さらに、搬送速度を自動的に更新するとともに上述した制御情報を自動的に更新して設定するように構成してもよい。このような構成によれば、経年変化による搬送手段21の搬送速度の変化にも対応でき、また、搬送手段21の構成部材の劣化を従業員に迅速に気づかせることができる。また、搬送速度の取得は常時ではなく、電源オン時、システムの開店処理が行われた都度、一週間毎などの単位で定期的に行う構成であってもよい。
【００６１】
また、貨幣回収システム20の導入設置後の運用中において、上述したように紙幣詰まりが検出された場合に次の異常処理を行う。
【００６２】
管理手段23は、紙幣詰まりが検出されると、その紙幣詰まりの上流に位置する台間機12に入金禁止信号を出す。
【００６３】
入金禁止信号を受けた台間機12側は、紙幣Ａの入金ができない旨をランプ表示あるいは文字表示にて識別可能に表示したうえで、入金禁止状態を設定する。この入金禁止状態では、紙幣Ａの受け付けはできないが、記憶媒体（プリペイドカード、会員カードなどの有価価値を記憶した媒体）を受け付ける処理は可能となっている。
【００６４】
運用中の紙幣詰まりの場合にはこのような入金禁止処理をするが、設定処理（札間制御データの登録処理）中の場合は、上流だけでなく管理手段23の制御下にある全ての台間機12を停止してもよい。
【００６５】
なお、台間機12にセンサ30が直接接続されている場合は、紙幣排出禁止期間などのデータを各台間機12に配信し、台間機12自体が送出有無を判断してもよい。
【００６６】
次に、第２の実施の形態を、図８ないし図１３を参照して説明する。なお、第１の実施の形態と同様の構成および作用効果については、同一符号を用いてその説明を省略する。
【００６７】
図８に、貨幣回収システム20を適用する遊技島10の平面図を示す。
【００６８】
遊技台11、台間機12および還元機13などを含む遊技島10の構成は、第１の実施の形態と同様に構成されている。
【００６９】
遊技島10に設置される貨幣回収システム20は、各台間機12の紙幣処理手段15、各紙幣処理手段15から送出される紙幣Ａを遊技島10の一方の島端へ向けて搬送する搬送手段21、および遊技島10の一方の島端に設置された回収手段22および管理手段23を備えている。
【００７０】
搬送手段21は、各貨幣処理手段15の位置に対応して各貨幣処理手段15から送出される紙幣Ａを搬送路28内に取り込んで搬送する取込手段29と、紙幣Ａを搬送する搬送カセット40とが搬送路28の搬送方向Ｆに沿って交互に配置されて構成されている。搬送カセット40には、搬送する紙幣Ａを検出する検出手段としてのセンサ41が配置されている。そして、各センサ41は、各貨幣処理手段15に対応して設けられている。
【００７１】
回収手段22および管理手段23は、第１の実施の形態と同様に構成されている。
【００７２】
次に、図９は貨幣回収システム20を説明する説明図である。なお、図９は説明のために簡略化している。
【００７３】
ここでは、搬送手段21による搬送方向Ｆの下流側から順に、台間機12をユニット１、２、３、４、５、６と呼び、センサ41をセンサS1，S2，S3，S4，S5，S6と呼ぶ。
【００７４】
遊技島10には、上述した有価価値管理装置と各ユニット１〜６（台間機12）との間の通信を中継する島コントローラＤが設置されている。各ユニット１〜６と島コントローラＤとの間、および島コントローラＤと管理手段23との間は、例えばＲＳ−４８５などの所定の通信方式により互いに通信可能に接続されている。
【００７５】
管理手段23はセンサS0およびセンサS1の検出情報を取得し、ユニット１はセンサS2の検出情報を取得し、ユニット２はセンサS3の検出情報を取得し、ユニット３はセンサS4の検出情報を取得し、ユニット４はセンサS5の検出情報を取得し、ユニット５はセンサS6の検出情報を取得するように、それぞれ接続されている。
【００７６】
次に、貨幣回収システム20の導入設置時における貨幣処理手段15の配置に関する情報および搬送手段21の搬送作動に関する作動情報の自動取得および送出制御情報の自動設定の動作（搬送パラメータ自動設定動作）を説明する。なお、図１０には管理手段23および各ユニット１〜６における処理手順および情報の流れを示す。
【００７７】
管理手段23により導入設定時のモードを設定し、搬送手段21の最上流に位置するユニット６に例えば３枚の紙幣Ａを順に投入し、ユニット６から順に送出される紙幣Ａを搬送手段21で回収手段22に搬送する。搬送手段21や取込手段29などの設置に不具合がなければ、搬送手段21による紙幣Ａの搬送により、センサS6，S5，S4，S3，S2，S1，S0が順に紙幣Ａを検出する。
【００７８】
各センサS6，S5，S4，S3，S2，S1が紙幣Ａを検出することにより、各ユニット６〜１および管理手段23は各検出情報を島コントローラＤに通知し、さらに、島コントローラＤから管理手段23に各検出情報を通知する。したがって、各ユニット６〜１から管理手段23に各検出情報を通知する（図１０の各通知(21)）。
【００７９】
管理手段23は、各センサS6，S5，S4，S3，S2，S1，S0の検出情報を取得し、各センサS0〜S6間の紙幣Ａの通過時間を計測するとともに３枚の紙幣Ａについての計測値の平均値を求め、さらに、搬送ベルト27の搬送速度を計測する（図１０の処理(22)）。図１１(a)(b)には、計測した各センサS0〜S6間の通過時間、および搬送ベルト27の搬送速度の計測結果の例を示す。
【００８０】
また、管理手段23は、取得した各センサS0〜S6間の通過時間と搬送速度とに基づいて、図１２(a)(b)の例に示すように、各センサS0〜S6間の距離（台間機12間の距離に相当する）を求めるとともに、各センサS0〜S6間での紙幣Ａの詰まりを判定するための監視時間を求め、さらに、各ユニット１〜６における紙幣排出禁止期間を求め、これら情報を保存する（図１０の処理(23)）。
【００８１】
したがって、管理手段23は、搬送手段21の搬送ベルト27の搬送速度、各センサS0〜S6間の距離などを含む情報を取得し、各センサS0〜S6間の監視時間、各ユニット１〜６における紙幣排出禁止期間などを含む送出制御情報を設定することになる。
【００８２】
監視時間は、各センサS0〜S6間での紙幣Ａの詰まりを確実に判定できるようにするため、例えば計測された各センサS0〜S6間の通過時間の３倍の時間に設定される。
【００８３】
紙幣排出禁止期間は、ユニット１〜６から送出した紙幣Ａが搬送路28で重ならないこと、および回収手段22の金庫33で紙幣Ａを連続的に収納可能とする処理能力などから決められる。例えば図１２(b)に示すように、ユニット１では、搬送方向Ｆの上流側のセンサS2で紙幣Ａを検出した後の２秒後から５秒後までの期間である。この紙幣排出禁止期間を除いてユニット１から紙幣Ａを送出すれば、別のユニット２〜６から送出された紙幣Ａが搬送路28内を搬送されていても、搬送路28で紙幣Ａ同士が重なることがないとともに、回収手段22の金庫33に紙幣Ａを順次収納できる。
【００８４】
そして、管理手段23は、島コントローラＤに対して、図１３の例に示すように、各ユニット１〜６における紙幣排出禁止期間を含む制御情報を通知し、島コントローラＤから各ユニット１〜６に通知する。したがって、管理手段23から各ユニット１〜６に制御情報を通知する（図１０の通知(24)）。
【００８５】
また、各ユニット１〜６では、紙幣排出禁止期間に基づいて紙幣Ａの送出制御を行う。
【００８６】
また、管理手段23では、各センサS0〜S6間の監視時間に基づいて、各センサS0〜S6間での紙幣Ａの詰まりを監視する。
【００８７】
なお、管理手段23と各ユニット１〜６との間で通信の不具合がある場合には、各ユニット１〜６は予め設定されているデフォルト値で紙幣Ａの送出制御を行い、管理手段23は予め設定されているデフォルト値で紙幣Ａの詰まりを監視する。
【００８８】
次に、貨幣回収システム20の導入設置時における貨幣処理手段15の配置に関する情報および搬送手段21の搬送作動に関する作動情報の自動取得動作の際の異常検出について説明する。
【００８９】
管理手段23は、上流側のセンサで紙幣Ａを検出してから予め決められている一定時間経過しても下流側のセンサが紙幣Ａを検出しない場合（例えば、紙幣ＡがセンサS5を検出したもののセンサS4を検出しない場合）には、紙幣Ａの詰まりによる搬送の異常、または下流側のセンサS0〜S6の配線不良などの異常が発生していると判定する。
【００９０】
管理手段23は、上流側のセンサで紙幣Ａを検出していないにもかかわらず、下流側のセンサが紙幣Ａを検出した場合（例えば、紙幣ＡがセンサS5を検出した後、センサS4を検出せず、センサS3を検出した場合）には、センサの配線不良などの異常が発生していると判定する。
【００９１】
管理手段23は、センサで紙幣Ａを予め決められている一定時間以上検出し続けている場合には、例えば、紙幣Ａがセンサで停滞していたり、センサのコネクタが外れている配線不良が発生していると判定する。
【００９２】
そして、管理手段23は、異常を判定した場合、その旨を例えば表示部37に表示する。したがって、表示部37に表示された異常の情報から、貨幣回収システム20の導入設置時の不具合を把握し、対処することができる。
【００９３】
このように構成された貨幣回収システム20においても、貨幣回収システム20の導入設置時に、搬送手段21の最上流に位置する貨幣処理手段15から送出した紙幣Ａを搬送手段21で搬送させることにより、搬送手段21の搬送速度、および複数の台間機12間の距離を含む貨幣処理手段15の設置に関する正確な情報を自動的に取得することができ、そのため、貨幣処理手段15の設置に関する情報の手入力が必要なく、入力間違いの発生を防止できる。
【００９４】
また、管理手段23は、運用中に紙幣詰まりが検出された場合、上述した異常処理を行う。この場合、管理手段23は、島コントローラＤを経由して、紙幣詰まりの上流に位置する台間機12に入金禁止信号を出す。
【００９５】
なお、センサ41の出力を搬送カセット40と取込手段29からなる１つの搬送ユニット単位で判断し、この搬送ユニット単位での判断に基づいて台間機12に貨幣の送出有無を指示してもよい。
【００９６】
なお、上述した実施の形態において、貨幣回収システム20により回収する貨幣としては、紙幣に限らず、硬貨でもよい。
【００９７】
また、本実施の形態で図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【符号の説明】
【００９８】
15    貨幣処理手段
20    貨幣回収システム
21    搬送手段
23    異常判定手段、作動情報記憶手段、比較手段、再取得判定手段、送出制御情報記憶手段および更新手段の機能を有する管理手段
30    検出手段としてのセンサ
37    表示部
41    検出手段としてのセンサ
Ａ    貨幣としての紙幣
【図１】
2014026310.tif 000003
【図２】
2014026310.tif 000004
【図３】
2014026310.tif 000005
【図４】
2014026310.tif 000006
【図５】
2014026310.tif 000007
【図６】
2014026310.tif 000008
【図７】
2014026310.tif 000009
【図８】
2014026310.tif 000010
【図９】
2014026310.tif 000011
【図１０】
2014026310.tif 000012
【図１１】
2014026310.tif 000013
【図１２】
2014026310.tif 000014
【図１３】
2014026310.tif 000015